(57)【特許請求の範囲】
【請求項１】
上側部材と下側部材の間に傾斜自在に配設され且つ上下端部に張出部が形成された免震柱と、
該免震柱の上端部に形成された張出部が前記上側部材に対して水平方向へ移動しないように拘束する上側拘束部材と、
前記免震柱の下端部に形成された張出部が前記下側部材に対して水平方向へ移動しないように拘束する下側拘束部材と、
減衰要素とバネ要素の少なくとも一方の機能を有し、前記下側部材と免震柱との間或いは前記上側部材と免震柱との間に前記減衰要素とバネ要素が位置するよう介装された連結体と
を備えた免震装置。
【請求項２】
前記免震柱の相互間を前記免震柱の長手方向と直交する方向へ延びて固定する固定連結材を備え、
前記免震柱と前記固定連結材とによって形成される面に直交する方向へは前記免震柱の傾斜が許容され、前記免震柱と前記固定連結材とによって形成される面に沿う方向へは前記免震柱の傾斜が阻止されるよう構成した請求項１記載の免震装置。
【請求項３】
前記免震柱の上端部に形成された張出部の上端面における傾斜が許容される方向の両幅端部には、中央側から幅端側へ向けて下り勾配となるテーパ面が形成され、前記免震柱の下端部に形成された張出部の下端面における傾斜が許容される方向の両幅端部には、中央側から幅端側へ向けて上り勾配となるテーパ面が形成される請求項２記載の免震装置。
【請求項４】
前記連結体は、流体圧ダンパである請求項１〜３の何れか一項に記載の免震装置。
【請求項５】
前記連結体は、コイルバネである請求項１〜３の何れか一項に記載の免震装置。
【請求項６】
上側部材と下側部材の間に傾斜自在に配設され且つ上下端部に張出部が形成された免震柱と、
該免震柱の上端部に形成された張出部を前記上側部材に対して拘束する上側拘束部材と、
前記免震柱の下端部に形成された張出部を前記下側部材に対して拘束する下側拘束部材と、
減衰要素とバネ要素の少なくとも一方の機能を有し、前記下側部材と免震柱との間或いは前記上側部材と免震柱との間に前記減衰要素とバネ要素が位置するよう介装された連結体と
を備えた免震装置。
【発明の詳細な説明】
【技術分野】
【０００１】
本発明は、立体倉庫、ボイラ鉄骨、立体パーキング、荷役設備等の構造物に適用して構造物の揺れを低減するための免震装置に関するものである。
【背景技術】
【０００２】
一般に、立体倉庫は、複数の鋼鉄製の柱と複数段の鋼鉄製の梁を用いて複数のラック（棚）を立体的に組み立てた構成を有している。大規模な地震が発生した場合には、立体倉庫が損壊する可能性があり、又、地震により立体倉庫のラックに格納された荷が落下して荷が損傷する可能性があることから、立体倉庫に免震装置を備えて地震に対処することが考えられている。
【０００３】
立体倉庫の柱の免震装置としては、立体倉庫を構成する複数の柱の各下端部と基礎との間に、積層ゴムからなる免震装置を備えたものがある（特許文献１）。因みに、特許文献１のように、多数の柱が設けられる立体倉庫の各柱の下端に積層ゴムによる免震装置を備えた場合には、基礎の増設が必要なことや積層ゴムが比較的高価であることから立体倉庫の設備コストが増加する問題があった。又、立体倉庫の柱を上下の途中位置で切断した構成として、上側の二本の柱の下端を水平な第１水平部材で連結し、上側の二本の柱に対応する下側の二本の柱の上端部を、前記第１水平部材と係合可能な水平な第２水平部材で連結することにより、前記第１水平部材と第２水平部材を長手方向へ低摩擦部材を介してスライド可能とし、前記第１水平部材と第２水平部材とを粘弾性体で接続したものがある（特許文献２）。
【先行技術文献】
【特許文献】
【０００４】
【特許文献１】特開２００６−１０４８８３号公報
【特許文献２】特開２０１３−０３９９８９号公報
【発明の概要】
【発明が解決しようとする課題】
【０００５】
しかしながら、特許文献２においては、前記第１水平部材と第２水平部材を設け、更に、前記第１水平部材と第２水平部材とを接続する粘弾性体を設ける必要があるために、構造が複雑となって立体倉庫の設備コストが増加する問題があった。
【０００６】
本発明は、上記従来の問題点に鑑みてなしたもので、簡単な構成で構造物に作用する揺れを免震できる免震装置を提供しようとするものである。
【課題を解決するための手段】
【０００７】
本発明は、上側部材と下側部材の間に傾斜自在に配設され且つ上下端部に張出部が形成された免震柱と、
該免震柱の上端部に形成された張出部が前記上側部材に対して水平方向へ移動しないように拘束する上側拘束部材と、
前記免震柱の下端部に形成された張出部が前記下側部材に対して水平方向へ移動しないように拘束する下側拘束部材と、
減衰要素とバネ要素の少なくとも一方の機能を有し、前記下側部材と免震柱との間或いは前記上側部材と免震柱との間に前記減衰要素またはバネ要素が位置するよう介装された連結体と
を備えた免震装置にかかるものである。
【０００８】
前記免震装置においては、前記免震柱の相互間を前記免震柱の長手方向と直交する方向へ延びて固定する固定連結材を備え、
前記免震柱と前記固定連結材とによって形成される面に直交する方向へは前記免震柱の傾斜が許容され、前記免震柱と前記固定連結材とによって形成される面に沿う方向へは前記免震柱の傾斜が阻止されるよう構成しても良い。
【０００９】
この場合、前記免震柱の上端部に形成された張出部の上端面における傾斜が許容される方向の両幅端部には、中央側から幅端側へ向けて下り勾配となるテーパ面が形成され、前記免震柱の下端部に形成された張出部の下端面における傾斜が許容される方向の両幅端部には、中央側から幅端側へ向けて上り勾配となるテーパ面が形成されても良い。
【００１０】
前記免震装置において、前記連結体は、流体圧ダンパとしても良い。
【００１１】
前記免震装置において、前記連結体は、コイルバネとしても良い。
【発明の効果】
【００１２】
本発明の免震装置によれば、簡単な構成で構造物に作用する揺れを免震できるという優れた効果を奏し得る。
【図面の簡単な説明】
【００１３】
【図１】本発明の免震装置の実施例を示す正断面図である。
【図２】本発明の免震装置の実施例を示す側断面図である。
【図３】本発明の免震装置の実施例を示す平断面図であって、図１のＩＩＩ−ＩＩＩ断面図である。
【図４】本発明の免震装置の実施例における大規模な地震発生時の状態を示す正断面図である。
【図５】本発明の免震装置の実施例において、連結体として流体圧ダンパの代わりにコイルバネを用いた例を示す正断面図である。
【図６】（ａ）は本発明の免震装置を適用する構造物の一例である立体倉庫の正面図、（ｂ）は側面図である。
【発明を実施するための形態】
【００１４】
以下、本発明の実施の形態を添付図面を参照して説明する。
【００１５】
図１〜図６は本発明の免震装置の実施例である。
【００１６】
図６（ａ）及び図６（ｂ）は本発明の免震装置を適用する構造物の一例である立体倉庫を示しており、構造物としての立体倉庫１００は、複数の鋼鉄製の柱１と複数段の鋼鉄製の梁２を備えることにより複数のラック３（棚）が立体的に組み立てられた構成を有している。立体倉庫１００は、スタッカクレーン４を挟むように立設され、該スタッカクレーン４の走行方向に沿って延びる長さを有しており、スタッカクレーン４の走行方向と直交する方向には、格納される荷の大きさに対応した、前記長さと比較して短い幅を有している。前記立体倉庫１００を構成する複数の柱１は、ラック３に格納される荷の重量を支持するために高い強度を有している。
【００１７】
そして、図６の立体倉庫１００を構成する複数の柱１に本発明の免震装置５を設ける。該免震装置５は、図６に示す如く、立体倉庫１００に備えられる柱１の同一高さ位置に設けられる。前記免震装置５は、該免震装置５より上部の立体倉庫１００全体がロッキングする挙動を発生させないために、上から１／３〜１／２程度の高さ位置に設置することが好ましい。このように、前記免震装置５を立体倉庫１００の上部に設置しても、免震の効果により、免震装置５より上側の揺れが小さくなることで、結果的に免震装置５より下側の構造物の揺れも小さくなることが本発明者等の研究により判明している。
【００１８】
本実施例の場合、前記免震装置５は、図１〜図４に示す如く、免震柱６と、上側拘束部材７と、下側拘束部材８と、連結体９とを備えている。
【００１９】
前記免震柱６は、上側部材としての水平フランジ１Ａと下側部材としての水平フランジ１Ｂとの間に、前記上側拘束部材７と下側拘束部材８とを介して傾斜自在に配設されている。前記免震柱６の上下端部には、張出部としてのフランジ１０及びフランジ１１が形成されている。前記上側部材としての水平フランジ１Ａは、免震柱６の上方に位置する柱１の下端部に設けられ、前記下側部材としての水平フランジ１Ｂは、免震柱６の下方に位置する柱１の上端部に設けられている。尚、前記柱１及び免震柱６は、水平断面が矩形形状を有する中空の角型鋼材であるが、該角型鋼材に限定されるものではなく、Ｈ型鋼材、Ｉ型鋼材、Ｚ型鋼材、円筒型鋼材であっても良い。
【００２０】
前記上側拘束部材７は、前記免震柱６の上端部に形成された張出部としてのフランジ１０が前記上側部材としての水平フランジ１Ａに対して水平方向へ移動しないように拘束するためのものである。又、前記上側拘束部材７は、免震柱６の傾斜角度を制限するストッパ部７ａを水平拘束部７ｂの下端に形成することにより、前記免震柱６が傾斜した際に該免震柱６が倒れずに自重で元の位置に復帰できる限界傾斜角度位置より傾斜角度が小さい位置で前記フランジ１０を拘束するようにしてある。
【００２１】
前記下側拘束部材８は、前記免震柱６の下端部に形成された張出部としてのフランジ１１が前記下側部材としての水平フランジ１Ｂに対して水平方向へ移動しないように拘束するためのものである。又、前記下側拘束部材８は、免震柱６の傾斜角度を制限するストッパ部８ａを水平拘束部８ｂの上端に形成することにより、前記免震柱６が傾斜した際に該免震柱６が倒れずに自重で元の位置に復帰できる限界傾斜角度位置より傾斜角度が小さい位置で前記フランジ１１を拘束するようにしてある。
【００２２】
前記連結体９は、減衰要素の機能を有する油圧ダンパ等の流体圧ダンパ９ａであって、前記水平フランジ１Ｂ，１Ｂ下面をつなぐように延びる下側部材としての梁２と免震柱６との間に介装されている。前記連結体９は、前記流体圧ダンパ９ａの代わりに、図５に示す如く、バネ要素の機能を有するコイルバネ９ｂとしても良い。尚、前記連結体９として、図１に示す流体圧ダンパ９ａ及び図５に示すコイルバネ９ｂの両方を用いるようにしても良い。又、前記下側部材としての梁２の代わりに、前記水平フランジ１Ａ，１Ａ上面をつなぐように延びる上側部材としての梁２と免震柱６との間に、減衰要素とバネ要素の少なくとも一方の機能を有する連結体９を介装しても良い。
【００２３】
前記免震柱６の相互間は、図２及び図３に示す如く、前記免震柱６の長手方向と直交する方向へ延びる固定連結材１２によって固定し、前記免震柱６と前記固定連結材１２とによって形成される面に直交する方向（立体倉庫１００の幅方向）へは前記免震柱６の傾斜が許容され、前記免震柱６と前記固定連結材１２とによって形成される面（立体倉庫１００の奥行方向）に沿う方向へは前記免震柱６の傾斜が阻止されるよう構成してある。
【００２４】
前記免震柱６の上端部に形成された張出部としてのフランジ１０の上端面における傾斜が許容される方向の両幅端部には、図１に示す如く、中央側から幅端側へ向けて下り勾配となるテーパ面１０ａが形成され、前記免震柱６の下端部に形成された張出部としてのフランジ１１の下端面における傾斜が許容される方向の両幅端部には、中央側から幅端側へ向けて上り勾配となるテーパ面１１ａが形成されるようにしてある。
【００２５】
前記免震柱６のフランジ１０及びフランジ１１は、図３に示す如く、長辺と短辺を有する長方形とし、長辺を立体倉庫１００の幅方向に沿わせ、短辺を立体倉庫１００の奥行方向に沿わせるように配置してある。
【００２６】
尚、本実施例の場合、前記免震柱６の上下端部に形成された張出部としてのフランジ１０，１１の上下端面における傾斜が許容される方向（前記長辺の方向）を立体倉庫１００の幅方向と一致させ、前記免震柱６の上下端部に形成された張出部としてのフランジ１０，１１の上下端面における傾斜が阻止される方向（前記短辺の方向で且つ前記固定連結材１２の延びる方向）を立体倉庫１００の奥行方向と一致させるようにしてある。
【００２７】
次に、上記実施例の作用を説明する。
【００２８】
地震が発生していない平常時には、図１に示す如く、免震柱６は鉛直に保持され、該免震柱６の上側の柱１に掛かる荷重は、水平フランジ１Ａ及び上側拘束部材７から、上下両端にフランジ１０，１１が設けられた免震柱６と、下側拘束部材８及び水平フランジ１Ｂとを介して下側の柱１に伝達される。但し、図１において、中小規模の地震の発生により柱１に水平方向の比較的小さい加速度の揺れが発生した場合にも、前記免震柱６は鉛直に保持される。
【００２９】
即ち、柱１に掛る荷重によって、前記水平フランジ１Ａ及び水平フランジ１Ｂに対し免震柱６のフランジ１０，１１は上側拘束部材７及び下側拘束部材８を介して圧着される。このとき、前記水平フランジ１Ａ及び水平フランジ１Ｂには、免震柱６のフランジ１０，１１の外周を取り囲む上側拘束部材７及び下側拘束部材８が設けられているので、免震柱６が水平方向へ移動することは防止される。従って、中小規模の地震によって、水平方向に比較的小さい加速度の揺れが発生しても、免震柱６は鉛直に保持される。これは、水平方向の加速度により免震柱６を傾けようとするモーメントが、免震柱６によって支持されている鉛直方向の荷重により免震柱６を鉛直状態に保持しようとするモーメントを超えない限り、免震柱６は傾くことができないトリガ機能によるものである。
【００３０】
一方、大規模な地震の発生によって、水平方向へ大きな加速度の揺れが発生した場合、上側の柱１が慣性によりその場にとどまろうとするのに対し、下側の柱１は水平方向へ相対移動した状態となる。このとき、免震柱６のフランジ１１は、下側拘束部材８に当接して水平方向へ移動することができない。しかし、前記立体倉庫１００の幅方向におけるフランジ１１の下端面の両幅端部には、中央側から幅端側へ向けて上り勾配となるテーパ面１１ａが形成されている。このため、前記免震柱６のフランジ１０，１１にトリガ荷重の範囲を超えた負荷が作用した場合には、図４に示す如く、前記免震柱６は、フランジ１１の下端面とテーパ面１１ａとの境界となる部分の辺と、フランジ１０の上端面とテーパ面１０ａとの境界となる部分の辺とを支点として傾きを開始する。このように免震柱６が傾く免震の効果により、水平左右方向への大きな地震力の伝達が低減される。
【００３１】
ここで、前記上側拘束部材７の水平拘束部７ｂ及び下側拘束部材８の水平拘束部８ｂには、ストッパ部７ａ及びストッパ部８ａが形成されているため、前記免震柱６が過大に傾斜しようとしても、前記ストッパ部７ａ及びストッパ部８ａにフランジ１０，１１が接触することにより、免震柱６が限界傾斜角度位置を超えて傾斜することが阻止される。この結果、免震柱６が倒れる心配はなく、元の位置に確実に復帰可能となる。
【００３２】
しかも、前記水平フランジ１Ｂ，１Ｂ下面をつなぐように延びる下側部材としての梁２と免震柱６との間には、連結体９として流体圧ダンパ９ａが介装されている。このため、大規模な地震発生時に、前記免震柱６の傾斜速度を低下させて該免震柱６の傾斜角を抑制することが可能となり、前記免震柱６が傾斜状態から直立状態に復元する際、フランジ１０，１１が上側拘束部材７及び下側拘束部材８に接触する荷重を低減することが可能となる。更に、前記免震柱６の傾斜角が抑制されることに伴い、ストッパ部７ａ及びストッパ部８ａへのフランジ１０，１１の接触を低減することもできる。
【００３３】
又、前記水平フランジ１Ｂ，１Ｂ下面をつなぐように延びる下側部材としての梁２と免震柱６との間には、図５に示す如く、連結体９として流体圧ダンパ９ａの代わりにコイルバネ９ｂを介装することもできる。前記連結体９としてコイルバネ９ｂを用いても、大規模な地震発生時には、前記免震柱６の傾斜速度を低下させて該免震柱６の傾斜角を抑制することが可能となり、前記ストッパ部７ａ及びストッパ部８ａへのフランジ１０，１１の接触を低減し且つ前記免震柱６を傾斜状態から積極的に直立状態に復元させることが可能となる。
【００３４】
一方、前記免震柱６の相互間は、図２及び図３に示す如く、前記免震柱６の長手方向と直交する方向へ延びる固定連結材１２によって固定し、該固定連結材１２の延びる方向を立体倉庫１００の奥行方向と一致させているため、免震柱６が傾斜する方向を立体倉庫１００の幅方向のみに限定することができ、免震柱６が振れ回るような挙動を阻止して動作を安定化させることができる。
【００３５】
加えて、前記免震柱６の上下端部に形成された張出部としてのフランジ１０，１１の上下端面における傾斜が許容される方向の両幅端部には、図１に示す如く、中央側から幅端側へ向けてテーパ面１０ａ，１１ａが形成されているため、免震柱６が傾斜する方向を立体倉庫１００の幅方向のみに限定することをより的確に行えるようになり、免震挙動を更に安定化させることができる。
【００３６】
尚、前記立体倉庫１００は、図６（ａ）からも明らかなように、スタッカクレーン４を挟んで幅が狭く且つ上方へ高く延びる形状となっており、大規模な地震発生時には、その幅方向において揺れが生じやすいが、立体倉庫１００の奥行方向においては、図６（ｂ）に示す如く、横に長く延びる形状となっており、揺れは幅方向と比較して生じにくい。このため、立体倉庫１００の幅方向において免震柱６の傾斜を許容し、立体倉庫１００の奥行方向において免震柱６の傾斜を阻止することにより、免震を行う方向を水平一軸方向へ限定することは有効となる。
【００３７】
又、前記免震装置５は、免震する構造物としての立体倉庫１００の垂直方向に複数段配置するようにしても良い。このように配置すると、単段で免震する場合と比較し、より大きな揺れを吸収できる。
【００３８】
こうして、簡単な構成で構造物としての立体倉庫１００に作用する揺れを免震でき且つ免震柱６の過大な傾斜を確実に防止し得る。
【００３９】
そして、本実施例においては、前記免震柱６の相互間を前記免震柱６の長手方向と直交する方向へ延びて固定する固定連結材１２を備え、前記免震柱６と前記固定連結材１２とによって形成される面に直交する方向へは前記免震柱６の傾斜が許容され、前記免震柱６と前記固定連結材１２とによって形成される面に沿う方向へは前記免震柱６の傾斜が阻止されるよう構成してある。このように構成すると、免震柱６が傾斜する方向を特定の方向（例えば、立体倉庫１００の幅方向）のみに限定することができ、免震柱６が振れ回るような挙動を阻止して動作を安定化させることができる。
【００４０】
又、前記免震柱６の上端部に形成された張出部としてのフランジ１０の上端面における傾斜が許容される方向の両幅端部には、中央側から幅端側へ向けて下り勾配となるテーパ面１０ａが形成され、前記免震柱６の下端部に形成された張出部としてのフランジ１１の下端面における傾斜が許容される方向の両幅端部には、中央側から幅端側へ向けて上り勾配となるテーパ面１１ａが形成される。このように構成すると、免震柱６が傾斜する方向を特定の方向（例えば、立体倉庫１００の幅方向）のみに限定することをより的確に行えるようになり、免震挙動を更に安定化させることができる。
【００４１】
更に又、前記連結体９を、流体圧ダンパ９ａとすると、大規模な地震発生時に、前記免震柱６の傾斜速度を低下させて該免震柱６の傾斜角を抑制することが可能となり、前記免震柱６が傾斜状態から直立状態に復元する際、フランジ１０，１１が上側拘束部材７及び下側拘束部材８に接触する荷重を低減することが可能となる。
【００４２】
又、前記連結体９を、コイルバネ９ｂとすると、大規模な地震発生時には、前記免震柱６の傾斜速度を低下させて該免震柱６の傾斜角を抑制することが可能となり、前記上側拘束部材７及び下側拘束部材８へのフランジ１０，１１の接触を低減し且つ前記免震柱６を傾斜状態から積極的に直立状態に復元させることが可能となる。
【００４３】
尚、本発明の免震装置は、上述の実施例にのみ限定されるものではなく、本発明の要旨を逸脱しない範囲内において種々変更を加え得ることは勿論である。
【符号の説明】
【００４４】
１Ａ      水平フランジ（上側部材）
１Ｂ      水平フランジ（下側部材）
２        梁（上側部材、下側部材）
５        免震装置
６        免震柱
７        上側拘束部材
８        下側拘束部材
９        連結体
９ａ      流体圧ダンパ
９ｂ      コイルバネ
１０        フランジ（張出部）
１０ａ      テーパ面
１１        フランジ（張出部）
１１ａ      テーパ面
１２        固定連結材
【図１】
0006716946.tif 000002
【図２】
0006716946.tif 000003
【図３】
0006716946.tif 000004
【図４】
0006716946.tif 000005
【図５】
0006716946.tif 000006
【図６】
0006716946.tif 000007